(57)【要約】【課題】コーヒーカップへ置くタイプのドリップバッグを提供する。【解決手段】ドリップバッグ１の一対の第１係止片２５はその上側の側片部１９と、一対の連続部２２、２６を介して連続しており、一対の第1係止片２５の間の折り曲げ部１７がフィルター３側に押されると、フィルター３の開口が大きく開きながら、一対の係止片２５はそれぞれ引き起こされる。また、一対の第２係止片２７もそれぞれ連動して引き起こされる。そして、第１係止片２５どうしの間の折り曲げ部１７は谷折り状態に変わる。谷折り状態に変わった後は、指を離しても上記した立体状態は維持される。従って、コーヒーカップに上からそのまま置ける。【選択図】        図６
2011078536.tif 000002
【特許請求の範囲】
【請求項１】
内部に被抽出物が充填された袋状のフィルターと、前記フィルターの側面に固着されたホルダーとを有し、前記ホルダーは前記フィルターの一側辺に沿って折られた折り曲げ部を連結部としてフィルターの両側面に沿って延びる一対の側片部と、前記一対の側片部からそれぞれ引き起こし可能に設けられた２組の一対の係止片を備えたドリップバッグであって、
折り曲げ部側の一対の係止片はその上側の一対の側片部と、前記折り曲げ部から離れた一対の連続部を介してそれぞれ連続しており、前記１組の一対の係止片の間の折り曲げ部は、前記フィルター側に押されると、山折り状態から谷折り状態に変わることを特徴とするドリップバッグ。
【請求項２】
請求項１に記載したドリップバッグにおいて、
上側の一対の側片部には連続部付近から折り曲げ部側に近づくように外縁に向かって伸びるハの字状の一対の切れ目が形成されていることを特徴とするドリップバッグ。
【請求項３】
請求項１または２に記載したドリップバッグにおいて、
折り曲げ部側の一対の係止片の連続部と前記折り曲げ部の間の上縁は僅かに傾斜しており、前記折り曲げ部側に向かうほど下がっていることを特徴とするドリップバッグ。
【請求項４】
請求項１から３のいずれかに記載したドリップバッグにおいて、
上側の一対の側片部は上縁付近でフィルターに固着されていることを特徴とするドリップバッグ。
【請求項５】
請求項１から４のいずれかに記載したドリップバッグにおいて、
フィルターが矩形状をなし、注湯時に下方に位置する角部と対角線上の反対側に位置する角部が切り離し可能になっており、前記角部を挟む二辺を引き裂いて開口するようにしたことを特徴とするドリップバッグ。
【発明の詳細な説明】
【技術分野】
【０００１】
本発明は、レギュラーコーヒー等の抽出に用いるドリップバッグに係り、詳しくは、濾紙や不織布等からなる袋状のフィルターと、このフィルターを支持するホルダーを備え、使用時にはそのホルダーをコーヒーカップの開口縁に置く「サイドフックタイプ」のドリップバッグに関するものである。
【背景技術】
【０００２】
例えばコーヒー抽出用のドリップバッグでは、フィルターは二つ折りされヒートシール等の手法で周縁をシールされて扁平な矩形状の袋体として形成されており、そのフィルターの中にカップ一杯相当分のコーヒー粉が充填されている。ホルダーは厚紙等により形成され、中央部分はフィルターの一側辺に沿わせた状態で折り曲げられている。折り曲げ部の両側は対称になっており、一対の側片部はフィルターの外面に貼り付けられており、一対の係止片は一対の側片部から引き起こし可能に設けられている。
【先行技術文献】
【特許文献】
【０００３】
【特許文献１】特開２００４−２４２８４７号公報
【発明の概要】
【発明が解決しようとする課題】
【０００４】
而して、特許文献１に示す従来のドリップバッグは、係止片を広げカップの開口縁に頼ってそれに引っ掛けるようにして係止していたため、係止させ難く、しかもカップの開口縁の面積が小さいとホルダーの一対の側片部どうしの間隔が狭まってフィルターの開口も小さくなってしまう。
【０００５】
また、この種のドリップバッグでは、上述のようにコーヒー粉等の被抽出物が扁平な袋状体のフィルターに充填されているため、容積率が大きい。このため、開口の際またはその後に切り離す辺を傾けたりすると、フィルターからコーヒー粉等の充填物がこぼれ易い。
【０００６】
本発明は、上記した問題点に鑑みてなされたものであり、１つの簡単な操作により、係止片が十分に引き起こされてフィルターの開口面積が十分な大きさになると共に、その状態を安定的に維持できるドリップバッグを提供することを、その目的とする。このドリップバッグによれば、カップの開口縁に引っ掛けるのではなく置いて使用できるので、上記したような係止し難さもなければ、使用するカップによってフィルターの開口が小さくなるようなこともない。
また、本発明は、ユーザーによるフィルター開口操作（切り離し操作）時の持ち方が正常でなくてもフィルターからの充填物のこぼれを防止でき、使用勝手性を向上させることができるドリップバッグの提供をその目的とする。
【課題を解決するための手段】
【０００７】
本発明は、上記目的を達成するために、請求項１の発明は、内部に被抽出物が充填された袋状のフィルターと、前記フィルターの側面に固着されたホルダーとを有し、前記ホルダーは前記フィルターの一側辺に沿って折られた折り曲げ部を連結部としてフィルターの両側面に沿って延びる一対の側片部と、前記一対の側片部からそれぞれ引き起こし可能に設けられた２組の一対の係止片を備えたドリップバッグであって、折り曲げ部側の一対の係止片はその上側の一対の側片部と、前記折り曲げ部から離れた一対の連続部を介してそれぞれ連続しており、前記１組の一対の係止片の間の折り曲げ部は、前記フィルター側に押されると、山折り状態から谷折り状態に変わることを特徴とするドリップバッグである。
【０００８】
請求項２の発明は、請求項１に記載したドリップバッグにおいて、上側の一対の側片部には連続部付近から折り曲げ部側に近づくように外縁に向かって伸びるハの字状の一対の切れ目が形成されていることを特徴とするドリップバッグである。
【０００９】
請求項３の発明は、請求項１または２に記載したドリップバッグにおいて、折り曲げ部側の一対の係止片の連続部と前記折り曲げ部の間の上縁は僅かに傾斜しており、前記折り曲げ部側に向かうほど下がっていることを特徴とするドリップバッグである。
【００１０】
請求項４の発明は、請求項１から３のいずれかに記載したドリップバッグにおいて、上側の一対の側片部は上縁付近でフィルターに固着されていることを特徴とするドリップバッグである。
【００１１】
請求項５の発明は、請求項１から４のいずれかに記載したドリップバッグにおいて、フィルターが矩形状をなし、注湯時に下方に位置する角部と対角線上の反対側に位置する角部が切り離し可能になっており、前記角部を挟む二辺を引き裂いて開口するようにしたことを特徴とするドリップバッグである。
【発明の効果】
【００１２】
本発明のドリップバッグによれば、カップの開口縁に引っ掛けるのではなく置いて使用できる。また、本発明のドリップバッグによれば、ユーザーによるフィルター開口操作（切り離し操作）時の持ち方が正常でなくてもフィルターからの充填物のこぼれを防止でき、使用勝手性を向上させることができる。
【図面の簡単な説明】
【００１３】
【図１】本発明の実施の形態に係るドリップバッグの側面図である。
【図２】ホルダーを展開した平面図である。
【図３】折り曲げ部の要部拡大図である。
【図４】ドリップバッグの上方角部を切り離した状態を示す図である。
【図５】切り離し後にシール部分を剥がしてフィルターを全部開口した状態を示す図である。
【図６】係止片が引き起こされた状態のドリップバッグの斜視図である。
【図７】図６におけるＡ−Ａ線での概要断面図である。
【図８】ドリップバッグをコーヒーカップに設置した状態の斜視図である。
【発明を実施するための形態】
【００１４】
本発明の実施の形態に係るドリップバッグを図面にしたがって説明する。ここでは、ドリップコーヒーを抽出するためのドリップバッグを例示する。
図１は、ドリップバッグ１をその一側面側から見た図である。ドリップバッグ１は、濾紙や不織布等からなる袋状のフィルター３と、このフィルター３を保持しながらコーヒーカップの開口縁に置いて係止させるためのホルダー５とを有している。符号４はホルダー５がフィルター３に固着される部位を示す。
フィルター３は、矩形のシート材が二つ折りされ、重ね合わされた三辺（上辺、左辺、下辺）の周縁がヒートシール等の手段でシールされており、矩形状の扁平な袋状をなしている。
【００１５】
ホルダー５は厚紙やコート紙等で形成されており、フィルター３の折り曲げ辺である一側辺７に沿って折り曲げられ、フィルター３の両側面（外面）に固着部位４で固着されてフィルター３と一体化されている。
ホルダー５におけるフィルター３の対角線上の角部（図中左上方角部）９上に重ね合わされた部分は切り離し部１１として略三角形に形成されており、ミシン目１３に沿ってその余の部分から切り離し可能になっている。
【００１６】
ホルダー５は、図２、図３に示すように、ミシン目１５が形成された上下方向に延びる折り曲げ部１７と、該折り曲げ部１７を連結部としてフィルター３の両側面に沿って延びる一対の側片部１９Ａ、１９Ｂを有している。折り曲げ部１７がフィルター３の一側辺７に沿って山状に折り曲げられている。
【００１７】
各側片部１９について左右の対称性を示す符号Ａ、Ｂを略して説明すると、各側片部１９のうち、切れ目２１、連続部２２、切れ目２４、連続部２６、及び切れ目３１で囲まれた部分が第１係止片２５になっている。切れ目２１Ａと切れ目２１Ｂは折り曲げ部１７で連続しており、切れ目３１Ａと切れ目３１Ｂも折り曲げ部１７で連続している。切れ目３１から切れ目２１の直線状部分、即ち第１係止片２５の上縁にかけては略水平になっているが、切れ目３１は僅かに傾斜した斜線になっており、折り曲げ部１７に近づくほど下がっている。このように、第１係止片２５はその余の側片部１９と連続部２２、２６でのみ連続している。
また、第１係止片２５Ａ、Ｂは折り曲げ部１７を連結部として左右に伸び出ている。
【００１８】
また、図２に示すように、各側片部１９のうち、切れ目２１の外方から下方に伸びる切れ目２３とホルダー５の外縁で囲まれた部分が第２係止片２７になっている。この第２係止片２７Ａ、２７Ｂも、折り曲げ部１７側を連結部として左右両側に伸び出ている。
【００１９】
その余の側片部１９のうち、第１係止片２５の上側に位置し、上縁がフィルター３に固着されている領域を、上部固着領域２９とする。また、第１係止片２５の下側に位置し、下縁がフィルター３に固着されている領域を、下部固着領域３５とする。
上部固着領域２９には、連続部２２付近から折り曲げ部１７側に近づくように、上縁に向かって伸びるハの字状の一対の切れ目３３が形成されている。
【００２０】
図４及び図５に基づいてフィルター３の開口動作を説明する。
図４に示すように、ドリップバッグ１をドリップコーヒーが滴下する角部３７を下にして持った状態で、上述したように、角部３７の対角線上の反対側に位置する角部９を切り離し部１１と共にミシン目１３に沿って切り離す。
切り離した後、図５に示すように、角部９を挟む二辺のシール部分を引き剥がして開口する。
以上はユーザーがドリップバッグ１を正常に持って開口した場合であるが、ユーザーによっては切り離し部１１の位置を意識しないで開口する場合がある。この場合でも本実施形態に係るドリップバッグ１はコーヒー粉４７のこぼれを防止することができる。
【００２１】
すなわち、図４の左側に仮想線で示すように、一辺３９を直立させた状態で、切り離し部１１を切り離しても、一辺３９の下方領域３９ａはその時点ではまだハッチングで示すようにシールされており且つ下方領域３９ａの高さは充填物の上端と同等以上に設定されているので、コーヒー粉４７がこぼれることはない。
同様に、図４の右側に仮想線で示すように、一辺４３を直立させた状態で、切り離し部１１を切り離しても、一辺４３の下方領域４３ａはその時点ではまだハッチングで示すようにシールされているので、コーヒー粉４７がこぼれることはない。
このような場合、切り離し後にユーザーはこぼれ易い状態であることを認識し、図４に実線で示す正常な位置に直してシールを引き剥がすことになる。
【００２２】
従来においては、フィルター３の上辺あるいは上辺及びこれに隣接する辺の一部に亘る範囲が切り離し動作と同時に全部開口されるので、ユーザーの持ち方によってはコーヒー粉４７がこぼれ、テーブルや室内を汚す原因ともなっていたが、本実施形態に係るドリップバッグ１では上記のようにユーザーの持ち方の良否にかかわらず、こぼれを防止でき、余計な注意を払うことなくフィルター３の開口動作を行うことができる。
【００２３】
フィルター３の開口動作が完了したら、図６及び図７に示すように、ドリップバッグ１の図６における左側上端部を左手で持ち、右手の指で、上部固着領域２９から第１係止片２５にかけて折り曲げ部１７を押して第１係止片２５をフィルター３側に押し込む。
すると、フィルター３の開口が開きながら、第１係止片２５Ａ、２５Ｂはそれぞれ引き起こされる。また、第２係止片２７Ａ、２７Ｂもそれぞれ連動して引き起こされる。フィルター３の開口は拡がって円錐状の容器形状になる。
切れ目３１が斜線になっており、しかも上部固着領域２９は上縁でのみ固着されているので、第１係止片２５をフィルター３側に押し込み易くなっている。
【００２４】
そして、第１係止片２５Ａと第１係止片２５Ｂの折り曲げ部１７は僅かではあるが谷折り状態に変わる。谷折り状態に変わった後は、右手の指を離しても上記した立体状態は維持される。したがって、上部固着領域２９を掴んで、一対の第１係止片２５と一対の第２係止片２７をコーヒーカップ４５の開口縁上に置く。これで設置が完了する
切れ目３３があるので、第１係止片２５はコーヒーカップ４５の開口縁に対して垂直な状態になるように引き起こされる。
【００２５】
図８は、図６に示すドリップバッグ１をコーヒーカップ４５にそのまま上から置いた状態を示している。
図面上表示されないが、コーヒーカップ４５の図中奥側には一対の第２係止片２７が置かれており、４点支持によってドリップバッグ１は安定に支持されている。
第1係止片２５、第２係止片２７とも、その下端がコーヒーカップ４５の開口縁上に置かれているだけなので、別の開口縁の小さいコーヒーカップにおいても、ドリップバッグ１の立体形状はそのまま維持される。
また、第1係止片２５はコーヒーカップ４５の水平な開口縁上に垂直に立っているので、薄いシートで形成されていても十分なフィルター３の支持強度を有している。
【００２６】
以上、本発明の実施の形態について詳述してきたが、具体的構成は、この実施の形態に限られるものではなく、本発明の要旨を逸脱しない範囲における設計の変更などがあっても発明に含まれる。
上記実施形態では、ドリップコーヒー用のドリップバッグを例示したが、紅茶やハーブティーなどのドリップバッグとしても同様に実施することができる。
【符号の説明】
【００２７】
１    ドリップバッグ
３    フィルター
５    ホルダー
９    角部
１７    折り曲げ部
１９Ａ、１９Ｂ    一対の側片部
２１Ａ、２１Ｂ    切れ目
２２Ａ、２２Ｂ    連続部
２４Ａ、２４Ｂ    切れ目
２５Ａ、２５Ｂ    第１係止片
２６Ａ、２６Ｂ    連続部
２７Ａ、２７Ｂ    第２係止片
２９  上部固着領域
３１Ａ、３１Ｂ    切れ目
３３Ａ、３３Ｂ    切れ目
４５    コーヒーカップ
４７    被抽出物としてのコーヒー粉
【図１】
2011078536.tif 000003
【図２】
2011078536.tif 000004
【図３】
2011078536.tif 000005
【図４】
2011078536.tif 000006
【図５】
2011078536.tif 000007
【図６】
2011078536.tif 000008
【図７】
2011078536.tif 000009
【図８】
2011078536.tif 000010